(57)【特許請求の範囲】
【請求項１】
支持対象の長尺体を受止め支持自在な支持部を備えた支持具本体を設け、前記支持部への前記長尺体の受入口を閉塞して前記支持部と共に前記長尺体を囲繞する蓋部を、前記支持部の一端部に揺動開閉自在に連結し、前記蓋部の端部と前記支持具本体とを係合自在な蓋係合部を設け、長尺体支持用ボルトのネジ溝に対して係止する係止爪部を備えたバネ部材を支持具本体に設けてある長尺体支持具であって、
前記蓋係合部による前記蓋部の端部と前記支持具本体との係合時に、前記蓋部の端部で前記係止爪部を前記ボルトに対して押し付ける状態に前記バネ部材を前記ボルト側に押圧することにより、前記バネ部材の弾性復元力が前記蓋係合部における係合付勢力として作用するようにした長尺体支持具。
【請求項２】
前記蓋係合部が、前記蓋部の端部に形成された突起部と、前記支持具本体に形成された前記突起部が嵌入自在な穴部とから構成されているとともに、前記バネ部材の弾性復元力が前記蓋部の突起部を支持具本体の前記穴部内に押し込む嵌入操作力として作用するようにした請求項１に記載の長尺体支持具。
【発明の詳細な説明】
【０００１】
【発明の属する技術分野】
本発明は、長尺体支持用棒状体に対して係止自在な係止部と、支持対象の長尺体を受止め支持自在な支持部とを備えた支持具本体を設け、前記支持部への前記長尺体の受入口を閉塞して前記支持部と共に前記長尺体を囲繞する蓋部を、前記支持部の一端部に揺動開閉自在に連結し、前記蓋部の端部と前記支持具本体とを係合自在な蓋係合部を設けてある長尺体支持具に関する。
【０００２】
【従来の技術】
従来、この種の長尺体支持具としては、図１０に示すように、蓋係合部２４を構成するに、前記吊りボルト２に螺合させた一対のナット２１を設け、両ナット２１間に支持具本体２２の端部と蓋部２３の端部とを挟み込んで固定するように形成してあるものがあった。
【０００３】
【発明が解決しようとする課題】
上述した従来の長尺体支持具によれば、支持具本体２２を吊りボルト２に固定して蓋部２３を蓋係合部２４で閉じる状態にするのに、一方のナット２１を吊りボルト２に螺合させた後、蓋部２３を閉方向に揺動させ、前記係止部５と蓋部２３の端部とに吊りボルト２が貫通する状態に支持具本体２２を配置し、他方のナット２１を吊りボルト２に螺合させる操作が必要となり、その作業を当該支持具を手で保持したまま実施しなければならず、作業が煩雑になり易く、例えば、高所作業（特に頭上での作業）においては、作業し難く、効率がわるくなるという問題点がある。
更には、前記支持具本体２２に支持させた長尺体を取り外すには、その都度ナットを外して蓋部を開方向に揺動させて実施しなければならないから、上述と同様に、手間がかかって作業し難く、長尺体支持作業全体の作業効率が低下する危険性がある。
【０００４】
そこで、これらの問題点を解消する長尺体支持具として、前記蓋係合部の構成を、支持具本体２２に係合自在なフック部分を蓋部２３に形成し、支持具本体を吊りボルト２に取り付けた後からでも、蓋部２３の開閉操作ができるように構成するものが提案される。
しかし、この提案による長尺体支持具においては、吊りボルトに係止させた状態で、例えば、支持された長尺体に外力や振動が作用する場合、蓋係合部の係合が解除されて、蓋部が開状態となり易く、長尺体の安定した支持が叶えられなくなる危険性がある。
【０００５】
従って、本発明の目的は、長尺体の支持操作を簡単に実施でき、且つ、外力や振動が作用しても蓋係合部の係合状態が解除され難く、より確実に長尺体を支持しやすい長尺体支持具を提供するところにある。
【０００６】
【課題を解決するための手段】
図１〜９に例示するごとく、長尺体支持用棒状体２に対して係止自在な係止部５と、支持対象の長尺体１を受止め支持自在な支持部４とを備えた支持具本体３を設け、前記支持部４への前記長尺体１の受入口を閉塞して前記支持部４と共に前記長尺体１を囲繞する蓋部６を、前記支持部４の一端部に揺動開閉自在に連結し、前記蓋部６の端部と前記支持具本体３とを係合自在な蓋係合部５ｂを設けてある長尺体支持具において、前記蓋係合部５ｂにおける前記蓋部６の抜け出しを弾性付勢力の作用で阻止自在なバネ部材８を設けていてもよい。
上記構成によれば、前記蓋係合部における前記蓋部の抜け出しを弾性付勢力の作用で阻止自在なバネ部材を設けてあるから、蓋係合部への蓋部の係合操作はスムースに実施できながら、前記バネ部材によって蓋係合部での蓋部の係合を弾性的にサポートすることが可能となり、例えば、支持している長尺体や当該長尺体支持具に、外力や振動が作用しても蓋部の係合状態を維持しやすく、蓋部が不用意に開状態になるのを防止することが可能となる。従って、より確実に長尺体を支持することが可能である。
【０００７】
図１〜９に例示するごとく、前記バネ部材８は、前記係止部５における前記長尺体支持用棒状体２の係止解除を弾性付勢力の作用で阻止自在に形成してあってもよい。
上記構成によれば、前記バネ部材は、前記係止部における前記長尺体支持用棒状体の係止解除を弾性付勢力の作用で阻止自在に形成してあるから、支持用棒状体に対する当該長尺体支持具の係止状態を、弾性的にサポートでき、より確実な取付状態を維持することが可能となる。更には、一つのバネ部材によって、長尺体支持用棒状体に対する長尺体支持具の係止状態維持と、蓋部の係合状態維持とを兼用して果たすことが可能となり、より少ない部品点数によって機能性を向上させることが可能となる。その結果、機能性を維持した状態でのコストダウンを図ることが可能となる。
【００１０】
本発明の請求項１による長尺体支持具の特徴構成は、支持対象の長尺体を受止め支持自在な支持部を備えた支持具本体を設け、前記支持部への前記長尺体の受入口を閉塞して前記支持部と共に前記長尺体を囲繞する蓋部を、前記支持部の一端部に揺動開閉自在に連結し、前記蓋部の端部と前記支持具本体とを係合自在な蓋係合部を設け、長尺体支持用ボルトのネジ溝に対して係止する係止爪部を備えたバネ部材を支持具本体に設けてある長尺体支持具であって、
前記蓋係合部による前記蓋部の端部と前記支持具本体との係合時に、前記蓋部の端部で前記係止爪部を前記ボルトに対して押し付ける状態に前記バネ部材を前記ボルト側に押圧することにより、前記バネ部材の弾性復元力が前記蓋係合部における係合付勢力として作用するようにした点にある。
本発明の請求項２による長尺体支持具の特徴構成は、前記蓋係合部が、前記蓋部の端部に形成された突起部と、前記支持具本体に形成された前記突起部が嵌入自在な穴部とから構成されているとともに、前記バネ部材の弾性復元力が前記蓋部の突起部を支持具本体の前記穴部内に押し込む嵌入操作力として作用するようにした点にある。
【００１１】
【発明の実施の形態】
以下に本発明の実施の形態を図面に基づいて説明する。尚、図面において従来例と同一の符号で表示した部分は、同一又は相当の部分を示している。
【００１２】
図２は、本発明の長尺体支持具の一例である支持金具Ｒによって、長尺体の一例である空調配管１を、吊りボルト（棒状体の一例）２に支持させてある状態を示すものである。
【００１３】
前記吊りボルト２は、建物から垂下状態に固定してあり、図には示さないが、空調配管１の長手方向に間隔をあけた別の複数箇所にも設置してあって、それらの各吊りボルト２に図と同様に取り付けたそれぞれの支持金具Ｒによって、空調配管１は支持してある。
【００１４】
前記支持金具Ｒについて説明すると、図１に示すように、前記吊りボルト２に対して係止自在な係止部５と、支持対象の空調配管１を受止め支持自在な支持部４とを備えた支持具本体３を設け、前記支持部４への前記空調配管１の受入口を閉塞し、且つ、前記支持部４と共に前記空調配管１を囲繞する蓋部６を設けてその主体部分は構成してある。
前記係止部５と支持部４とは、金属製の帯状体を屈曲加工して一体的に形成してある。そして、前記蓋部６も金属製の帯状体から成形してあり、その基端部を支持部４の先端部にヒンジ接合部４ｂを介して揺動自在に取り付けてある。
【００１５】
前記支持部４は、図に示すように、湾曲形状に形成してあり、その湾曲凹部４ａが、空調配管１の収容支持空間Ｖとなる。従って、そして、前記湾曲凹部４ａに前記空調配管１を横姿勢に位置させて受け止め支持することができるものである。
【００１６】
前記係止部５は、図１・４に示すように、断面形状『コ』字形状に形成してあり、『コ』字の開口部が前記収容支持空間Ｖに向く姿勢で前記支持部４の基端部と一体連結してある。
前記吊りボルト２に取り付けられる状態においては、前記『コ』字の開口部は下方を向く姿勢となる。
そして、係止部５の上面部には、吊りボルト２が進入自在な長穴５ａを形成してある。従って、吊りボルト２への当該支持金具Ｒの取り付けは、この長穴５ａ内に吊りボルト２の先端部を挿入受け入れする事によって実施される。前記係止部５の『コ』字形状の凹状部を受入部７という。
この受入部７には、図に示すように屈曲形成された板バネ部材（バネ部材の一例）８（図３参照）、及び、その内側に断面「コ」字形の板金部材２３をそれぞれ内嵌させて、係止部５の一方側の側壁部分に固着（リベット接合）してある。
【００１７】
また、係止部５の他方側の側壁部分には、前記蓋部６の先端部を係合させる蓋係合部５ｂを形成してある。蓋部６を前記ヒンジ接合部４ｂまわりに揺動させて、前記蓋係合部５ｂに蓋部６の先端部を係合させることによって、前記支持部４への前記空調配管１の受入口が閉塞されると共に、前記収容支持空間Ｖに配置された前記空調配管１を前記支持部４と共に囲繞支持することができる。
前記蓋係合部５ｂは、図４・５に示すように、前記蓋部６の先端部を、前記受入部７へ挿通させることが可能な第一穴部Ｈ１と、その第一穴部Ｈ１に挿通させた蓋部６の先端部をロック方向にスライド自在な第二穴部Ｈ２（前記第一穴部Ｈ１より小巾）と、その第二穴部Ｈ２に沿ってスライドさせた蓋部６の先端部をロック自在な一対の第三穴部Ｈ３とで構成してある。前記第一穴部Ｈ１と第２穴部Ｈ２とは連続した一つの穴（穴正面形状が『Ｔ』字形状）に形成してある。そして、一対の第三穴部Ｈ３は、前記第２穴部Ｈ２の両脇部分にそれぞれ形成してある。
【００１８】
一方、前記蓋部６の先端部には、図４・５に示すように、前記第一穴部Ｈ１の巾寸法に対応した広幅部６ａを設け、その広幅部６ａの基端側に前記第二穴部Ｈ２の巾寸法に対応した狭巾部６ｂを設け、前記広幅部６ａの両側部での後端部に前記一対の第三穴部Ｈ３に各別に嵌入自在な突起部６ｃをそれぞれ設けてある。
また、広幅部６ａの前端部の中央部分には、前記吊りボルト２の外周面に沿う凹部９を形成してある。
従って、吊りボルト２に取り付けた当該支持金具Ｒによって空調配管１を支持するには、前記支持部４に空調配管１を載置させた状態で、蓋部６を閉方向に揺動させ、その先端部を前記第一穴部Ｈ１に挿入し、広幅部６ａのすべてが通過した段階で第二穴部Ｈ２に沿って下方側へスライドさせ、前記突起部６ｃを前記第三穴部Ｈ３に嵌入させることによって、空調配管１を囲繞した状態に支持することができる。
【００１９】
前記板バネ部材８について説明すると、図３・４に示すように、前記係止部５の一方側の側壁部分に固着された第一面部８ａと、係止部５の上面部に内接する第二面部８ｂと、前記吊りボルト２の進入空間に突出状態に配置される第三面部８ｃとを一体的に設けて構成してある。
前記第二面部８ｂには、前記係止部５と同様に吊りボルト２が進入自在な長穴１０を形成してある。但し、前記長穴１０の周縁部の内、第一面部側の周縁部分は直線状に加工してあり、前記吊りボルト２のネジ溝２ａに係止可能な係止爪部１１に形成してある。
また、前記第三面部８ｃは、図に示すように、前記吊りボルト２の進入方向に傾斜させてあると共に、進入してきた吊りボルト２に外嵌自在な切欠き部８ｄを形成してある。そして、その切欠き部８ｄの底部分には、前記第二面部８ｂと同様に直線状加工により前記吊りボルト２のネジ溝２ａに係止可能な係止爪部１１を形成してある。
従って、両係止爪部１１は、前記吊りボルト２の進入空間を挟んだ両側方に各別に配置してあり、前記吊りボルト２の両側部のネジ溝２ａに各別に係止可能に形成してある。
また、前記受入部７への前記吊りボルト２の進入に伴って、前記第三面部８ｃは、弾性変形しながらその進入を許容することができると共に、前記受入部７に進入した前記吊りボルト２の前記受入部７からの抜け出しに対しては、両係止爪部１１がネジ溝２ａに食い込む方向に抵抗し、抜け出しを阻止することができる。尚、係止爪部１１は、ネジ部２ａの螺旋形状に沿うように、傾斜させて設けてある。
因みに、前記板バネ部材８の第三面部８ｃを傾斜状態に設けてあることによって、蓋部６の先端部と支持具本体３との係合時において前記受入部７に挿入された蓋部６の広幅部６ａで板バネ部材８の係止爪部１１を吊りボルト２に対して押し付ける状態に板バネ部材８を吊りボルト２側に押圧することで蓋部６の広幅部６ａを押し下げながら押し戻す付勢力を作用させることが可能となり、前記広幅部６ａを第一穴部Ｈ１に挿入するだけで、前記板バネ部材８の付勢作用により、突起部６ｃが第三穴部Ｈ３に嵌入する係合ロック状態に誘導することが可能となり、蓋係合操作の迅速化、及び、簡単化を図ることが可能となる。また、板バネ部材８の弾性復元力によって、突起部６ｃと第三穴部Ｈ３との嵌合状態を維持し、前記蓋係合部５ｂにおける前記蓋部６の抜け出しを阻止する事が可能となる。
一方、前記蓋部の前記係合ロック状態においては、前記広幅部６ａによって板バネ部材８の第三面部８ｃを吊りボルト２側に押し付けた状態となり、板バネ部材８の弾性復元力の作用で、係止解除されるのを阻止する事が可能となる。その結果、前記第三面部８ｃの係合爪部１１が吊りボルト２のネジ溝２ａに係合して前記吊りボルト２の抜け出し阻止状態の維持を図ることが可能となる。前記広幅部が係止ロック機構１２となる。
【００２０】
前記板金部材２３は、コの字形の側辺部分に、受入部７側に突出させて吊りボルト２の側部を安定的に受ける突出部２３ａを形成してあり、吊りボルト２に対する支持金具Ｒの取り付き姿勢の安定化を図れるように構成してある。
また、コの字形の上辺部分には、吊りボルト２を受入自在な切欠き部２３ｂを形成してある。そして、板金部材２３の上辺部分は、板バネ部材８の第二面部８ｂを係止部５とで挟み込み、第二面部８ｂの弾性変形を抑制し、第三面部８ｃの弾性変形がより効果的に強力に作用するように構成してある。
一方、板金部材２３のコの字形の下辺部分は、吊りボルト２の延長線上に張り出し、吊りボルト２が、前記配管Ｐの収容支持空間Ｖにまで進入しないように構成してある。このコの字形の下辺部分がストッパＳに相当する。従って、吊りボルト２がこのストッパＳに当接するまで押し込めば、誰が取付操作しても、確実に吊りボルト２に当該支持金具Ｒを係止させることが可能となる。
【００２１】
次に、支持金具Ｒを吊りボルト２に係止させて、空調配管１を支持する手順の一例を説明すると、
［１］  蓋部６を開けた状態で、長穴５ａ・１０、切欠き部２３ｂ内に吊りボルト２が進入すると共に係合爪部１１がネジ溝２ａに係止する状態に支持金具Ｒを取り付ける。
また、必要に応じて吊りボルトに対する支持金具Ｒの取付高さ調整を行う。
［２］  支持部４に、空調配管１を配置する。
［３］  蓋部６を閉めて係止ロック機構１２を作用させる。
以上の手順によって、空調配管１の支持を行うことができる。勿論、始めに支持金具Ｒを空調配管１に対して囲繞状態に取り付けておき、その状態で、吊りボルト２に取り付ける方法をとることも可能である。
【００２２】
〔別実施形態〕
以下に別実施形態を説明する。
【００２３】
〈１〉  本発明の長尺体支持具は、先の実施の形態で説明したように、空調配管からなる長尺体を支持するためのものに限定されず、例えば、ケーブル、他の配管等さまざまなものが支持可能で、それらを含めて長尺体という。更には、取り付ける棒状体は、吊りボルトに限らず、例えば、吊下げ状態に設置された鉄筋（特に異形鉄筋）や、節のある鉄棒等も可能で、それらを棒状体という。
〈２〉  前記係止爪部の設置部位、及び、形状・設置数は、先の実施の形態のものに限定されるものではなく、適宜選定することが可能である。また、係止部の構成も、係止爪部に限るものではなく、係止突起と係止凹部との組み合わせによって構成してあってもよい。
〈３〉  前記蓋係合部の構造については、先の実施形態で説明したような第一穴部Ｈ１・第二穴部Ｈ２・第三穴部Ｈ３とによる構成に限るものではなく、一般的な公知の係合構造を採用することが可能である。
〈４〉  また、蓋部は、支持部に対して揺動自在に取り付けられたものに限るものではなく、例えば、一端部は支持部に対して、他端部は蓋嵌合部に対してそれぞれ着脱自在に形成するものであってもよい。
〈５〉  前記板バネ部材の形状は、先の実施形態のものに限るものではなく、例えば、図６・７・８に示すようにジグザグ形状に構成してあってもよい。図６の実施形態のものによれば、係止爪部１１の数を増加させて、吊りボルト２に対してより強力に係止させることが可能となる。また、この実施形態の場合、蓋部の先端部が当接するバネ板部材の面部の傾斜が先の実施形態のものと逆勾配となるから、蓋部のロック動作も先の実施例とは逆方向となる。即ち、第一穴部に蓋部の先端部を挿入した後、上側へスライドさせてロックすることになる。
また、図８の実施形態の場合は、板バネ部材の第三面部８ｃには係止爪部を形成せず、蓋部のロックに伴って吊りボルトを第三面部８ｃによって押圧し、対向側係止爪部１１による係止力の強化維持を図れるように構成してある。
更には、バネ部材は、板バネ部材に限定されるものではなく、ピン形状や、コイル形状のバネであってもよく、それらを総称してバネ部材という。
〈６〉  当該長尺体支持具は、先の実施形態で説明したように係止部５の下方に収容支持空間Ｖが位置するもの以外に、例えば、係止部の側方に収容支持空間Ｖが位置するような構造に形成することも可能である。
〈７〉  また、当該長尺体支持具は、先の実施形態で説明した細部の構成に限定されるものではなく、例えば、蓋係合部５ｂと蓋部６との係合に関する構成は、図９に示すように、前記蓋部６の突起部６ｃ、及び、蓋嵌合部５ｂの第三穴部Ｈ３を省略した構成とすることであってもよい。
【図面の簡単な説明】
【図１】実施形態で説明する支持金具を示す斜視図
【図２】実施形態で説明する支持金具の取付状態を示す横断面図
【図３】板バネ部材を示す説明図
【図４】実施形態で説明する支持金具の係止部を示す断面図
【図５】実施形態で説明する支持金具の係止部を示す上面図
【図６】別実施形態で説明する支持金具の係止部を示す断面図
【図７】別実施形態で説明する支持金具の係止部を示す断面図
【図８】別実施形態で説明する支持金具の係止部を示す断面図
【図９】別実施形態で説明する支持金具を示す斜視図
【図１０】従来の支持金具を示す断面図
【符号の説明】
１      長尺体
２      棒状体
３      支持具本体
４      支持部
５      係止部
５ｂ    蓋係合部
６      蓋部
８      バネ部材
【図１】
0004179656.tif 000002
【図２】
0004179656.tif 000003
【図３】
0004179656.tif 000004
【図４】
0004179656.tif 000005
【図５】
0004179656.tif 000006
【図６】
0004179656.tif 000007
【図７】
0004179656.tif 000008
【図８】
0004179656.tif 000009
【図９】
0004179656.tif 000010
【図１０】
0004179656.tif 000011